(57)【特許請求の範囲】
【請求項１】
携帯電話加入者へ文字または音声によって情報を提供する情報提供システムにおいて、
非接触型の情報媒体によって構成されたＲＦＩＤとの間でデータを授受すると共に、前記ＲＦＩＤから読み取られたデータに基づいてコンテンツを選択して出力する情報提供手段と、
前記ＲＦＩＤと一体に移動すると共に、前記情報提供手段から供給されたコンテンツを再生する携帯電話とを備え、
前記情報提供手段は、前記ＲＦＩＤに記録された情報を非接触で読取る読書装置を備え、該読書装置が前記ＲＦＩＤから読取った情報と該読書装置の情報とに基づいてコンテンツを選択して前記携帯電話に出力することを特徴とする情報提供システム。
【請求項２】
前記情報提供手段は、前記ＲＦＩＤに付与された前記携帯端末を特定するための識別情報に基づいて、所望のコンテンツを選択して前記携帯態端末へ送信することを特徴とする請求項１に記載の情報提供システム。
【請求項３】
前記情報提供手段は、
前記携帯電話の電子メールアドレスまたは電話番号を格納する第１のデータベースと、
個別の電子メールアドレスまたは電話番号に対応する文字情報または音声情報を格納する第２のデータベースとを備え、
前記情報提供手段が、前記携帯電話のＲＦＩＤから取得した識別情報に基づいて、前記第１のデータベースから電子メールアドレスまたは電話番号を検索し、
前記第２のデータベースから前記電子メールアドレスまたは前記電話番号に最適な文字情報または音声情報を検索して、前記電子メールアドレスまたは電話番号へ送信することを特徴とする請求項２に記載の情報提供システム。
【請求項４】
携帯電話加入者へ文字または音声によって情報を提供する情報提供の方法において、
非接触型の情報媒体によって構成されたＲＦＩＤと一体に移動する携帯電話が、前記ＲＦＩＤに記録された情報を非接触で読み取る読書装置に接近すると、該読書装置が、前記ＲＦＩＤに記録された情報を非接触で読み取り、該情報と前記読書装置の情報を前記読書装置の上位装置であるサーバへ送信するステップと、
前記サーバが、前記読書装置から受信した該読書装置が前記ＲＦＩＤから読取った情報と該読書装置の情報とに基づいてコンテンツを選択して前記携帯電話に出力するステップと、
前記携帯電話が、前記サーバから供給されたコンテンツを再生するステップと
を含むことを特徴とする情報提供の方法。
【請求項５】
非接触型の情報媒体によって構成されたＲＦＩＤと一体に移動する携帯電話へコンテンツを提供し、前記ＲＦＩＤに記録された情報を非接触で読み取る読書装置と接続されるサーバが具備するコンピュータに、
前記読書装置が前記ＲＦＩＤから読取った情報と該読書装置の情報を受信するステップ、
前記ＲＦＩＤから読取った情報と該読書装置の情報とに基づいてコンテンツを選択するステップ、
前記選択したコンテンツを前記携帯電話に出力するステップ
を実行させるためのプログラム。
【発明の詳細な説明】
【０００１】
【発明の属する技術分野】
本発明は、タイムリー且つリアルタイムに情報を提供する情報提供システムに関し、さらに詳しくは、非接触ＩＣカードなどを媒体として、個人や個別の対象物に特化した情報をリアルタイムに提供する情報提供システムや情報提供の方法に関するものである。
【０００２】
【従来の技術】
従来、大衆向けの案内情報は、ポスターや案内文などを紙に印刷した張り紙や、電光掲示板などによって伝達されている。ところが、張り紙による案内情報の場合は、画一的な情報しか伝達できない上に、情報が古くなるたびに張り紙を取り替えなければならないので労力が必要となる。さらには、掲示されている情報と最新情報との間でタイムラグが発生するおそれがある。したがって、情報の伝達速度を速めるために電光掲示板による情報伝達が行われているが、しかし、この伝達方法でも画一的な情報しか提供することができない。つまり、電光掲示板では個人向けの情報を提供することはできない。
【０００３】
一方、近年、非接触ＩＣカードが各方面に盛んに利用し始めている。例えば、ハイウエイなどの料金所では、非接触ＩＣカードを利用したＥＴＣ（Electronic Toll Collection）システムが導入され始めている。このＥＴＣシステムによれば、料金所で車両を停止させて料金やハイウエイカードによる支払いをしなくても、車両を走行させたまま料金決済を行うことができる。また、鉄道の改札口などにおいても、非接触ＩＣカードを鞄やポケットにしまったまま通過ができるシステムが開発され始めている。このような非接触ＩＣカードを用いた情報通信システムは個人ごとの情報に対応して迅速に情報の送受信ができるので広く普及し始めている。
【０００４】
【発明が解決しようとする課題】
しかしながら、上記のような非接触ＩＣカードによる情報通信システムは、主に個人に対する料金決済などに利用されているものであって、各個人が所望する情報を多方面に亘って提供するようなシステムにはなっていない。すなわち、個人に特化した情報を収集する場合は、個人が情報源に対して個別に電話するとか、インターネットを通して情報収集しなければならない。しかし、物流情報とか製造ラインにおける製造管理情報などのように個別の物品情報を管理する場合は、電話やインターネットを通して情報収集を行うことは難しい。例えば、工場の出荷ラインにおいて、梱包された箱の中の製品が正しいか否かを、箱の外から情報収集してチェックできるような情報収集システムあるいは情報提供システムは未だ開発されていない。
【０００５】
本発明は、このような事情に鑑みてなされたものであり、その目的は、非接触ＩＣカードを用いて、個人に特化した情報や個別の情報をタイムリー且つリアルタイムに提供することのできる情報提供システムを実現することにある。
【０００６】
【課題を解決するための手段】
上記の課題を解決するために、本発明の情報提供システムは、帯端末加入者へ文字または音声によって情報を提供する情報提供システムにおいて、非接触型の情報媒体によって構成されたＲＦＩＤ（Radio Frequency Identification）との間でデータを授受すると共に、ＲＦＩＤから読み取られたデータに基づいてコンテンツを選択して出力する情報提供手段と、ＲＦＩＤと一体に移動すると共に、情報提供手段から供給されたコンテンツを再生する携帯端末とを備え、情報提供手段が、携帯端末に付設されたＲＦＩＤを媒体として、携帯端末へ所望のコンテンツを提供することを特徴とする。
【０００７】
つまり、本発明の情報提供システムによれば、情報を取得したい携帯電話加入者が携帯電話にＦＲＩＤを取り付ければ、このＲＦＩＤを介して、個人に特化したコンテンツを電子メールまたは音声情報によってリアルタイムで取得することができる。
【０００８】
また、本発明の情報提供システムは、携帯電話加入者へ文字または音声によって情報を提供する情報提供システムにおいて、非接触型の情報媒体によって構成されたＲＦＩＤとの間でデータを授受すると共に、前記ＲＦＩＤから読み取られたデータに基づいてコンテンツを選択して出力する情報提供手段と、前記ＲＦＩＤと一体に移動すると共に、前記情報提供手段から供給されたコンテンツを再生する携帯電話とを備え、前記情報提供手段は、前記ＲＦＩＤに記録された情報を非接触で読取る読書装置を備え、該読書装置が前記ＲＦＩＤから読取った情報と該読書装置の情報とに基づいてコンテンツを選択して前記携帯電話に出力することを特徴とする。
【０００９】
つまり、本発明の情報提供システムによれば、読書装置を屋外、屋内の各所に設置しておけば、携帯電話加入者が情報を収集したいときは、自己の携帯電話を読書装置に近づければ、タイムリー且つリアルタイムで所望する情報を入手することができる。
【００１０】
また、本発明の情報提供システムは、情報提供手段が、携帯端末を特定するための識別情報が付与されたＲＦＩＤを携帯端末に提供し、ＲＦＩＤに付与された識別情報に基づいて、所望のコンテンツを選択して携帯態端末へ送信することを特徴とする。
【００１１】
つまり、本発明の情報提供システムによれば、情報提供手段は、個々の識別情報に対応した個別のコンテンツを予め格納しているので、携帯端末のＲＦＩＤから取得した識別情報に基づいて、その携帯端末に最適なコンテンツを選び出して送信することができる。
【００１２】
また、本発明の情報提供システムは、情報提供手段が、携帯端末の電子メールアドレスまたは電話番号を格納する第１のデータベースと、個別の電子メールアドレスまたは電話番号に対応する文字情報または音声情報を格納する第２のデータベースとを備え、情報提供手段が、携帯端末のＲＦＩＤから取得した識別情報に基づいて、第１のデータベースから電子メールアドレスまたは電話番号を検索し、第２のデータベースから電子メールアドレスまたは電話番号に最適な文字情報または音声情報を検索して、携帯電話へ送信することを特徴とする。
【００１３】
つまり、本発明の情報提供システムによれば、情報提供手段のデータベースが、個々の識別情報に対応した電子メールアドレスまたは電話番号と、その電子メールアドレスまたは電話番号に最適な文字情報または音声情報を格納している。したがって、情報提供手段が携帯電話の識別情報を取得すれば、直ちに、その携帯電話の電子メールアドレスまたは電話番号に最適な文字情報または音声情報をサーチして送信することができる。
【００１４】
また、本発明の情報提供システムは、情報提供手段に構築されたＲＦＩＤの読み書きと電子メールとの連携システム、及び提供可能なコンテンツは、システムのハードウエアを製造するシステム提供手段によって提供されることを特徴とする。
【００１５】
つまり、本発明の情報提供システムによれば、ＲＦＩＤや端末装置を製造したり、情報提供システムのハードウエアを製造したり、各種のコンテンツを構築することのできるメーカであるシステム提供手段が、通信事業者などの情報提供手段に情報提供システムを提供すれば、情報提供手段は、情報提供システムを最適な環境で運用することができる。
【００１６】
また、本発明の情報提供の方法は、携帯端末加入者へ文字または音声によって情報を提供する情報提供の方法において、非接触型の情報媒体によって構成されたＲＦＩＤと一体に移動する携帯端末が、ＲＦＩＤに記録された情報を非接触で読み書きできる読書装置に接近するステップと、読書装置が、ＲＦＩＤに記録された識別情報を非接触で読み取り、識別情報を読書装置の上位装置であるサーバへ送信するステップと、サーバが、取得した識別情報に基づいて、データベースから電子メールアドレスまたは電話番号を検索して取得するステップと、サーバが、取得した電子メールアドレスまたは電話番号に基づいて、データベースから最適な文字情報または音声情報を検索して取得するステップと、サーバが、取得した文字情報または音声情報を、読書装置を介して、携帯端末へ送信するステップとを含むことを特徴とする。
【００１７】
また、本発明の情報提供の方法をコンピュータに実行させるプログラムは、携帯端末加入者へ文字または音声によって情報を提供する情報提供の方法をコンピュータに実行させるプログラムにおいて、非接触型の情報媒体によって構成されたＲＦＩＤを備える携帯端末が、ＲＦＩＤに記録された情報を非接触で読み書きできる読書装置に接近するステップと、読書装置が、ＲＦＩＤに記録された識別情報を非接触で読み取り、識別情報を読書装置の上位装置であるサーバへ送信するステップと、サーバが、取得した識別情報に基づいて、データベースから電子メールアドレスまたは電話番号を検索して取得するステップと、サーバが、取得した電子メールアドレスまたは電話番号に基づいて、データベースから最適な文字情報または音声情報を検索して取得するステップと、サーバが、取得した文字情報または音声情報を、読書装置を介して、携帯端末へ送信するステップとを含むことを特徴とする。
【００１８】
【発明の実施の形態】
以下、図面を用いて、本発明における情報提供システムの実施の形態を詳細に説明する。本発明における情報提供システムは、ＲＦＩＤ（Radio Frequency Identification）を情報媒体として、情報提供者と情報取得者との間で情報の送受信を行うものである。したがって、先ず、ＲＦＩＤの技術について述べる。
【００１９】
ＲＦＩＤとは、非接触ＩＣチップなどの非接触型の媒体を用いて、無線で情報を読み取る自動認識技術に使用される非接触タグであり、無線タグとも呼ばれている。このようなＲＦＩＤは、ＲＦＩＤリーダ／ライターによって要求電波を受信すると、ＩＣチップが起動して、ＩＣチップ内部のデータに応じて要求電波に対応する反射波を非接触タグのアンテナより放射する。したがって、このＲＦＩＤを携帯電話などに付設すれば、携帯電話の所持者は、ＲＦＩＤを媒体として情報提供者から個人に特化した情報をリアルタイムに取得することができる。
【００２０】
また、このようなＲＦＩＤには次のような種々の長所がある。先ず、一つ目は、距離的に離れたところからでも、無線によって自動的にＲＦＩＤに書かれた情報を読み取ることができる。二つ目は、箱などの中に商品と共にＲＦＩＤを保管しておけば、箱などに梱包されている商品を開けることなく、一括して商品に関する情報を読み取ることができる。三つ目は、ＲＦＩＤのＩＣチップには多くの情報を書き込むことができるし、また、情報内容を自由に書き換えたりすることができる。四つ目は、ＲＦＩＤのＩＣチップに書かれた情報に対しては、高度なセキュリティを維持することができる。したがって、このようなＲＦＩＤを用いれば、個人に特化した情報を容易に収集することができるのは勿論のこと、物流作業のコスト削減やスピード化や物流品チェックの精度の向上などを図ることができる。
【００２１】
また、ＲＦＩＤの長所としては、１０万回程度の書き換えが可能であり、使用済みのものでも、過去の情報を消して新たな情報を書き込めば、新品として再生させることができるのでリサイクル性に適している。さらに、水や油などの汚れに対する耐性を備えているので、人がポケットなどに携帯しても書き込まれている情報が消滅することはない。また、無線通信距離は約１ｍ程度と長いので、人間の通常の行動範囲であれば通信エラーを起こすことはない。さらに、動作可能な環境温度は−４０℃〜８５℃と広いので、通常の環境条件であれば屋内、屋外を問わず年中使用することができる。
【００２２】
さらに、ＲＦＩＤの標準化については、米国ＡＮＳＩ（アメリカ規格協会）でインテリタグ技術がＲＦＩＤの標準化に採用されている。また、ＲＦＩＤの標準化を国際標準機構ＩＳＯ１８０００シリーズで現在審議中である。また、ＲＦＩＤの送受信電波の周波数帯域は２.４５ＧＨｚを中心に標準化されているので、無線通信距離が１ｍ前後の場合は最も電波感度がよい。
【００２３】
このようなＲＦＩＤの具体的な使用方法としては、携帯電話などの個人が持ち歩く携帯情報端末にＲＦＩＤを添付する。つまり、携帯電話などの裏面にＲＦＩＤを貼り付けるとか、モールドしたＲＦＩＤを携帯電話に内蔵する電池などに装着する。そして、携帯電話などが情報提供地点であるＲＦＩＤリーダ／ライターを通過すると、ＲＦＩＤを媒体として情報の送受信が無線で行われる。その結果、携帯電話などによって、個人に特化した情報を文字や音声によってリアルタイムに取得することができる。
【００２４】
つまり、ＲＦＩＤを装着した携帯電話がＲＦＩＤリーダ／ライターに近づくと、ＲＦＩＤリーダ／ライターによってＲＦＩＤ内の情報の読み取りが行われ、ＲＦＩＤリーダ／ライターから上位装置のサーバへ転送される。すると、サーバは、ＲＦＩＤの情報とＲＦＩＤリーダ／ライターの情報とに基づいて、携帯電話の所持者に特化した情報を、ＲＦＩＤリーダ／ライターを介して、送信元の携帯電話へメール配信する。これによって、携帯電話の所持者は、自分向けのｅメール文章あるいは音声情報を取得することができる。つまり、本発明の情報提供システムによれば、携帯電話の所持者に対して、ＲＦＩＤを媒体として個人に特化した必要情報をリアルタイムで提供することができる。
【００２５】
次に図面を用いて本発明における情報提供システムの実施の形態を詳細に説明する。図１は、本発明における情報提供システムを実現するための概念図である。図１において、情報提供システムは、ＲＦＩＤの読み取りとｅメール、ｃメールの送信の連動システムを開発して提供したり、所望のコンテンツを開発して提供するシステム提供者１と、会員のｅメールアドレスや携帯電話番号を登録するデータベース５を備えて、会員に対してコンテンツの配信を行う情報提供者２と、ＲＦＩＤを備えた携帯電話を所持し、ＲＦＩＤリーダ／ライター４を介して、情報提供者２から所望のコンテンツの配信を受ける携帯電話加入者３とによって構成されている。尚、コンテンツの開発は、システム提供者１の代わりに情報提供者２が行ってもよい。また、会員とは、情報提供者２からコンテンツの配信を受ける権利を取得した携帯電話加入者３である。
【００２６】
図２は、会員が行う携帯電話の操作の概念を示すイメージ図であり、（ａ）は携帯電話にＲＦＩＤを取り付けるイメージ図、（ｂ）は携帯電話をＲＦＩＤリーダ／ライターに近づけるイメージ図である。したがって、図１、図２を用いて、本発明の情報提供システムを実現するための動作の流れを、図１に示す情報の流れの番号順に説明する。
【００２７】
先ず、▲１▼情報提供者２が、システム提供者１に対して、ＲＦＩＤの読み取りとｅメール、ｃメール送信の連動システムの開発や希望するコンテンツに関するシステムの開発を委託する。すると、▲２▼システム提供者１が、情報提供者２に対して、ＦＩＤの読み取りとメールの連動システム及び所望するコンテンツのシステムを提供する。
【００２８】
このようにして、システム提供者１の開発した情報提供システムのハードウエアが、情報提供者２側においてシステムアップされると、情報提供サービスが可能となる。その一方、▲３▼携帯電話加入者３は、会員組織に入会するための手続きを情報提供者２に対して行う。このとき、携帯電話加入者３は、携帯電話番号やｅメールアドレスや個人情報を情報提供者２へ登録する。すると、▲４▼情報提供者２は、携帯電話加入者３から登録された携帯電話番号やｅメールアドレスをデータベース５に登録すると共に、ＲＦＩＤに個別のＲＦＩＤ識別情報を登録し、そのＲＦＩＤを該当する携帯電話加入者３に配布する。すると、携帯電話加入者３は、図２（ａ）に示すように、配布されたＲＦＩＤ１２を携帯電話１１の裏面などに貼るか、またはモールドされたＲＦＩＤ１２を電池の裏などにはめ込む。尚、携帯電話加入者３が独自に購入したＲＦＩＤに対し、登録完了を条件として、各種データを書き込んで使用可能な状態とするようにしてもよい。
【００２９】
図１に戻って、▲５▼携帯電話加入者３が、情報提供を請求するためにＲＦＩＤリーダ／ライター４の近くに移動すると、ＲＦＩＤリーダ／ライター４が、携帯電話に付設されたＲＦＩＤに記録されているＲＦＩＤ識別情報を読み取って情報提供者２に送信する。つまり、図２（ｂ）に示すように、携帯電話加入者３が道路わきなどに設置されたＲＦＩＤリーダ／ライター４に携帯電話１１を近づけると、ＲＦＩＤリーダ／ライター４は携帯電話１１に付設されたＲＦＩＤ１２の識別情報データを認識して情報提供者２に送信する。尚、ＲＦＩＤリーダ／ライター４は屋内、屋外の何れの場所に設置してもよい。
【００３０】
再び図１に戻って、（６）（丸に６）情報提供者２は、ＲＦＩＤリーダ／ライター４から受信したＲＦＩＤ識別情報に基づいて、データベース５から携帯電話番号またはｅメールアドレスを検索する。そして、検索された携帯電話番号またはｅメールアドレスの情報に基づいて、データベース５に格納されている個人情報を参照して最適な情報を選択し、ＲＦＩＤリーダ／ライター４を介して、会員のｅメールアドレス宛てにｅメール文章で情報を提供するか、または、会員の携帯電話番号宛てに音声メッセージで情報を提供する。
【００３１】
図３は、本発明における情報提供システムを機能的に表現したブロック図である。図３において、情報提供システムは、携帯電話２１及びそれに付設されたＲＦＩＤ２２と、ＲＦＩＤ２２の情報を読み書きするＲＦＩＤリーダ／ライター２３と、Ａデータベース２４内に会員のｅメールアドレスや会員の携帯電話番号を格納して、会員のＲＦＩＤ識別情報を管理するＡサーバ２５と、Ｂデータベース２６内の各エリアに、各会員に提供するためのｅメール文章や音声情報を格納しておき、会員のｅメールアドレスや会員の携帯電話番号に基づいて所望のｅメール文章や音声情報を選択して送信するＢサーバ２７とによって構成されている。尚、ＲＦＩＤリーダ／ライター２３は複数の地域に設置されている。
【００３２】
図４は、図３の情報提供システムの動作の流れを示すフローチャートである。したがって、図３及び図４を用いて情報提供システムの動作の流れを説明する。先ず、携帯電話２１をＲＦＩＤリーダ／ライター２３に近づけると（ステップＳ１）、ＲＦＩＤリーダ／ライター２３が、ＲＦＩＤ２２内に書かれたＲＦＩＤ識別情報を非接触で読み取る（ステップＳ２）。すると、ＲＦＩＤリーダ／ライター２３は、読み取ったＲＦＩＤ識別情報とＲＦＩＤリーダ／ライター２３自身の識別情報とを併せて、上位装置であるＡサーバ２５へネットワークを通して送信する（ステップＳ３）。
【００３３】
すると、Ａサーバ２５は、取得したＲＦＩＤ識別情報が会員のものであるか否かを判定し（ステップＳ４）、会員のものでなければ（ステップＳ４でＮＯの場合）、その後の処理を終了し（エンド）、ＲＦＩＤ識別情報が会員のものであれば（ステップＳ４でＹＥＳの場合）、Ａサーバ２５は、取得したＲＦＩＤ識別情報に基づいてＡデータベース２４を検索し、送信元のｅメールアドレスあるいは携帯電話番号を取得する（ステップＳ５）。
【００３４】
そして、Ｂサーバ２７は、Ａサーバ２５から送信されたｅメールアドレスあるいは携帯電話番号と共にＲＦＩＤリーダ／ライター識別情報を取得する（ステップＳ６）。さらに、Ｂサーバ２７は、ｅメールアドレスあるいは携帯電話番号とＲＦＩＤリーダ／ライター識別情報とに基づいてＢデータベース２６を検索し、情報提供を依頼した携帯電話２１に最適なｅメール文章あるいは音声情報を取得する（ステップＳ７）。そして、Ｂサーバ２７は、Ｂデータベース２６から取得したｅメール文章を、ＲＦＩＤリーダ／ライター２３を介して、送信元のｅメールアドレス宛てである携帯電話２１に送信する。あるいは、Ｂデータベース２６から取得した音声情報を、ＲＦＩＤリーダ／ライター２３を介して、送信元の携帯電話番号宛てである携帯電話２１に送信する（ステップＳ８）。
【００３５】
以上述べた実施の形態は本発明を説明するための一例であり、本発明の情報提供システムを応用すれば、様々な分野に適用することができる。例えば、物流のパレットにＲＦＩＤを取り付ければ、ＲＦＩＤリーダ／ライターによってＲＦＩＤを読み取ることにより物流管理を行うことができる。さらには、輸送物品にＲＦＩＤを取り付ければ、宅配便などの輸送管理を効率的に行うことができる。その他、ＲＦＩＤとＲＦＩＤリーダ／ライターとを組み合わせることによってレンタル品の物品管理やアパレル・流通業の物流管理などを効率的且つ効果的に行うことができる。
【００３６】
さらには、博物館や美術館や展示会場などにおいて、それぞれの顧客が個別の情報を取得したい場合は、本発明の情報提供システムを応用すれが容易に実現することができる。また、屋内においては、スーパーマーケットやデパートや量販店などにおいて、フロア別や販売エリア別や時間帯別の商品管理やバーゲンセールの案内などに適用することができる。あるいは、病院や役所などにおいてバリアフリーの案内などに応用することもできる。また、屋外においては、日本語版や外国語版に分けて観光地案内に応用することもできるし、空港案内や物流システムとして配送ドライバへの情報提供にも適用することができる。その他、視力や聴力の障害者への案内手段のインフラ設備に応用することもできる。
【００３７】
【発明の効果】
以上説明したように、本発明の情報提供システム及び情報提供の方法によれば、予め、システム提供者が情報提供システムを構築しておき、この情報提供システムを情報提供者に管理させる。さらに、システム提供者は、ＦＲＩＤのデータを読み書きすることのできるＲＦＩＤリーダ／ライターを適当な箇所に設置しておく。一方、情報を取得したい会員である携帯電話加入者は、情報提供者から送られたＦＲＩＤを携帯電話に取り付ける。これによって、会員である携帯電話加入者は、携帯電話をＲＦＩＤリーダ／ライターに近づけば、所望の情報をｅメールまたは音声によってリアルタイムで取得することができる。つまり、情報を取得したい携帯電話加入者が、携帯電話とＲＦＩＤとを一体にして移動すれば、ＲＦＩＤを媒体として、個人に特化したコンテンツを電子メールや音声情報によってリアルタイムで取得することができる。
【００３８】
また、本発明の情報提供システムによれば、ＲＦＩＤリーダ／ライターを屋外や屋内の各所に設置しておけば、携帯電話加入者が情報を収集したいときは、自己の携帯端末をＲＦＩＤリーダ／ライターに近づければ、タイムリー且つリアルタイムで所望する情報を入手することができる。
【００３９】
また、本発明の情報提供システムによれば、情報提供手段が、個々の識別情報に対応した個別のコンテンツを予め格納しているので、携帯端末のＲＦＩＤから取得した識別情報に基づいて、その携帯端末に最適なコンテンツを選び出して送信することができる。つまり、携帯電話加入者は最適なコンテンツを取得することができる。
【００４０】
また、本発明の情報提供システムによれば、情報提供手段のデータベースが、個々の識別情報に対応した電子メールアドレスまたは電話番号と、その電子メールアドレスまたは電話番号に最適な文字情報または音声情報を格納している。したがって、情報提供手段が携帯電話の識別情報を取得すれば、直ちに、その携帯電話の電子メールアドレスまたは電話番号に最適な文字情報または音声情報をサーチして送信することができる。つまり、携帯電話加入者の電子メールアドレスまたは電話番号ごとに最適な文字情報または音声情報が得られる。
【００４１】
また、本発明の情報提供システムによれば、ＲＦＩＤや端末装置を製造したり、情報提供システムのハードウエアを製造したり、各種のコンテンツを構築することのできるメーカであるシステム提供手段が、通信事業者などの情報提供手段に情報提供システムを提供している。したがって、通信事業者などの情報提供手段は、最適状態で構築された情報提供システムを最適な環境で運用することができる。
【００４２】
また、本発明の情報提供システムの応用として、ＲＦＩＤを物流品に添付すれば、これらの物流品の梱包を解いたり出荷の流れを止めることなく、ＲＦＩＤリーダ／ライターによって正確且つ迅速に物流管理を行うことができる。
【図面の簡単な説明】
【図１】  本発明における情報提供システムを実現するための概念図である。
【図２】  会員が行う携帯電話の操作の概念を示すイメージ図であり、（ａ）は携帯電話にＲＦＩＤを取り付けるイメージ図、（ｂ）は携帯電話をＲＦＩＤリーダ／ライターに近づけるイメージ図である。
【図３】  本発明における情報提供システムを機能的に表現したブロック図である。
【図４】  図３の情報提供システムの動作の流れを示すフローチャートである。
【符号の説明】
１…システム提供者、２…情報提供者、３…携帯電話加入者、４、２３…ＲＦＩＤリーダ／ライター、５…データベース、１１、２１…携帯電話、１２、２２…ＲＦＩＤ、２４…Ａデータベース、２５…Ａサーバ、２６…Ｂデータベース、２７…Ｂサーバ
【図１】
0003960070.tif 000002
【図２】
0003960070.tif 000003
【図３】
0003960070.tif 000004
【図４】
0003960070.tif 000005